(57)【要約】  本発明はワンタッチ式の折り畳みテントに関するもので、特に、テントの上部中央にポールを展開及び折曲するための連結体を設け、ポールの上段を中央連結体にヒンジ結合して、連結体の操作によって全体のポールが同時に展開及び折曲するように改良したワンタッチ式の折り畳みテントに関するものである。
2007506884.tif 000002
【特許請求の範囲】
【請求項１】
中央に複数の引っ張りロープ孔（１１２）を有し、その下縁部に放射状に複数の係止突起（１１３）を有する軸部（１１１）と、前記軸部（１１１）の上段に水平方向に拡張された上板（１１５）とからなる押圧支持具（１１０）と；前記押圧支持具（１１０）の軸部（１１１）が挿設されるように穿孔された垂直貫通孔（１２２）と、これらの貫通孔（１２２の）周りに垂直に形成された複数の牽引ロープ孔（１２４）と、その外周の下縁部に突設された複数の牽引ロープ固定片（１２７）を有する垂直管部（１２１）と、前記垂直管部（１２１）の上面に水平方向に延びて放射状に形成された複数の回動案内溝（１２９）と、この回動案内溝に対応して支持具の側面に形成されたヒンジ軸支持突起（１２５）を有するポール支持部（１２８）とからなる連結支持具（１２０）と；前記引っ張りロープ孔（１１２）に挿入され、下側の下板（１１４）を利用して結束した引っ張りロープ（１４０）とを備える中央連結体（１００Ａ）と；
上下側関節部（２４０、２３０）によって折曲可能なポール部材（２２０）と、前記ポール部材の先端に挿着され、牽引ロープ嵌入溝（２１１）と、前記嵌合溝から所定の間隔をおいて離隔した位置で下面に形成されたヒンジ軸部（２１２）を有するモールディング部（２１０）を備え、前記ヒンジ軸部（２１２）は前記ポール支持部（１２８）の回動案内溝（１２９）に対応して形成されたヒンジ軸支持突起（１２５）にピン（Ｐ）で結合される複数のフレームポール（２００）と；
前記フレームポールの牽引ロープ嵌入溝（２１１）に嵌入されて前記垂直管部（１２１）の牽引ロープ孔（１２４）に挿入され、前記牽引ロープ固定片（１２７）に繰り返し係合する牽引ロープ（１３０）と；
複数の環（３１０）により前記フレームポール（２００）の中間部に設けられるテント布（３００）と；を含むことを特徴とするワンタッチ式の折り畳みテント。
【請求項２】
中央に引っ張りロープ孔（１１２）を有し、その下縁部に放射状に複数の係止突起（１１３）を有する軸部（１１１）と、前記軸部の上段に水平方向に拡張された上板（１１５）とからなる押圧支持具（１１０）と；前記押圧支持具（１１０）の軸部（１１１）が挿設されるように穿孔された垂直貫通孔（１２２）を有する垂直管部（１２１）と、前記垂直管部（１２１）の上面に水平方向に延びて放射状に形成された複数の回動案内溝（１２９）と、この回動案内溝に対応して支持具の側面に形成されたヒンジ軸支持突起（１２５）を有する連結支持具（１２０）と；前記引っ張りロープ孔（１１２）に挿入され、下側の下板（１１４）を利用して結束した引っ張りロープ（１４０）とを備える中央連結体（１００Ｂ）と；
上下側関節部（２４０、２３０）によって折曲可能なポール部材（２２０）と、このポール部材（２２０）の先端に挿着され、バネ挿入部（２１３）と中間のヒンジ軸部（２１２）を有するモールディング部（２１０）とを備える複数のポール（２００）と；
その一端が前記各ポール（２００）のモールディング部（２１０）に設けられたバネ挿入部（２１３）に挿着され、その他端が前記連結支持具（１２０）の底面に密着され、中間の環部（２１４a）はピン（Ｐ）によって前記ヒンジ軸部（２１２）と一緒に前記ヒンジ軸支持突起（１２５）に弾設される拡開バネ（２１４）と；
複数の環（３１０）により前記フレームポール（２００）の中間部に設けられるテント布（３００）と；を含むことを特徴とするワンタッチ式の折り畳みテント。
【請求項３】
前記連結支持具（１２０）の垂直貫通孔（１２２）は、押圧支持具（１１０）の軸部（１１１）の下縁部に突設された係止突起（１１３）が貫通されるように、その内周に形成された回転阻止用垂直凹溝（１２３）を備えることを特徴とする請求項１又は２に記載のワンタッチ式の折り畳みテント。
【請求項４】
一対ずつ四方に設けられるポールヒンジサポート（１６５）と、そのポールヒンジサポート（１６５）の中央で縦方向に形成された係止孔（１６１ａ）を備える支え板部（１６１）と、この支え板部（１６１）から下方に延びた管体部（１６２）を備える支持体（１６０）と；前記支え板部（１６１）の上側に配設し、軸ピン（１５３）で支持体の中央の結合孔（１５１）に軸設され、その係止突起（１５２ａ）が前記支持体（１６０）の係止孔（１６１ａ）の内周縁に係止するマウンティング部材（１５２）と、このマウンティング部材（１５２）を拡張させるための拡張弾性体（１５４）とを備える押圧板（１５０）と；前記押圧板（１５０）の中央部から垂設された中央ネジ棒（１７１）に沿って上下に移動し、圧縮バネ（１７２）によって支持体の管体部（１６２）内に弾設される昇降円板（１７４）と、この昇降円板（１７４）の通孔（１７４ａ）に挿設された延長部（１７３ｃ）により案内されながら上下に移動可能なリリース部材（１７３）を含む昇降部材（１７０）とを備える中央連結体（１００Ｃ）と；
上下側関節部（２４０、２３０）によって折曲可能なポール部材（２２０）と、前記ポール部材（２２０）の先端に挿着され、バネ挿入部（２１３）と中間のヒンジ軸部（２１２）を有するモールディング部（２１０）とを備える複数のポール（２００）と；
その一端が前記ポールのモールディング部（２１０）に設けられたバネ挿入部（２１３）に挿着され、その他端が前記連結支持具（１６０）の底面に密着され、中間の環部（２１４ａ）はピン（Ｐ）によって前記ヒンジ軸部（２１２）と一緒に前記ヒンジサポート（１６５）に弾設される拡開バネ（２１４）と；
複数の環３１０により前記フレームポール（２００）の中間部に設けられるテント布（３００）と；を含むことを特徴とするワンタッチ式の折り畳みテント。
【請求項５】
前記押圧板（１５０）は、これを支持体（１６０）の中央に配設した時の左右揺動を阻止するため、その底面の中央から延びる支持棒部（１５５）を備え、この支持棒部（１５５）の周りには縦方向のマウンティング部材（１５２）用の縦溝（１５５ａ）が設けられることを特徴とする請求項４に記載のワンタッチ式の折り畳みテント。
【請求項６】
前記昇降部材（１７０）は、その昇降円板（１７４）の底面から挿設した複数の拡張弾性体（１５４）を備え、これらの拡張弾性体を固定しながら補助連結線材（１７５）を連結するためのワッシャ（１７６）を含むことを特徴とする請求項４に記載のワンタッチ式の折り畳みテント。
【請求項７】
前記ポール（２００）の上側関節部（２４０）は、互いに対向するポール部材の両端に関節支持部（２４１）と関節回折部（２４２）の構造を有し、これらをヒンジピン（Ｐ）で折り畳み可能にしながら、関節バネ（２４３）を介して常に拡張する力が与えられることを特徴とする請求項１、２、または４に記載のワンタッチ式の折り畳みテント。
【請求項８】
前記ポール（２００）は、その下側関節部（２３０）で折曲され、一側のポール部材（２２０）の下端に嵌入され、一側の外周面に長手方向の長孔（２３２ｂ）を有するヒンジ突起（２３３ｂ）を備えたポール回折部（２３２）と、他側のポール部材（２２０）の上段に嵌入され、前記ポール回折部（２３２）の一部を取り囲むように半円筒部（２３１ａ）を有するポール支持部（２３１）と、前記半円筒部（２３１ａ）を貫通しながら前記長孔（２３２ｂ）に嵌設されて互いに連結するヒンジピン（Ｐ）と、前記ポール支持部（２３１）の内に一端部（２３３ａ）が挿設され、その他端部（２３３ｂ）が前記半円筒部（２３１ａ）の中でポール回折部（２３２）を押圧するように設けられる板バネ（２３３）を含むことを特徴とする請求項１、２、または４に記載のワンタッチ式の折り畳みテント。
【請求項９】
前記上下側関節部（２４０、２３０）は、その周りを取り囲みながらその両側が前記ヒンジピン（Ｐ）と一緒にリベット固定される連結孔（２５１）を備える保護帯（２５０）を含むことを特徴とする請求項１、２、または４に記載のワンタッチ式の折り畳みテント。
【請求項１０】
前記保護帯（２５０）は、その一部が長く延びる端部に、ポールの中間に結束するためのバンド部（２５２）を備えることを特徴とする請求項９に記載のワンタッチ式の折り畳みテント。
【請求項１１】
前記保護帯（２５０）は、その表面一側の中間に、テント布の支持紐（３２０）を結束するための結束紐（２５３）を備えることを特徴とする請求項９に記載のワンタッチ式の折り畳みテント。
【請求項１２】
前記ポール（２００）は、その下端に前記テント布（３００）の角底部に設けられた支持バンド（２３６）が連結された支持部材（２３５）に挿入される挿入部材（２３４）を備え、前記挿入部材（２３４）は四角の係止突起（２３４ａ）を有し、前記支持部材（２３５）は外側端にパック（２３７）を差し込むためのパック孔（２３５ａ）と、前記挿入部材（２３４）が挿入される四角の係止孔（２３５ｂ）と、前記支持バンド（２３６）を連設するためのバンド孔（２３５Ｃ）を有し、前記四角の係止孔（２３５ｂ）の下側には少し内向に湾曲した係合片（２３５d）が形成されることを特徴とする請求項１、２、または４に記載のワンタッチ式の折り畳みテント。
【発明の詳細な説明】
【技術分野】
【０００１】
本発明はワンタッチ式の折り畳みテントに関するもので、特に、テントの上部中央にポールを展開及び折曲させるための連結体を設け、ポールの上段を中央連結体にヒンジ結合し、連結体の操作によって全てのポールが同時に展開及び折曲するように改良したワンタッチ式の折り畳みテントに関するものである。
【背景技術】
【０００２】
一般的に、テントは底、側面、及び上部を連結する布と、これらを特定形態に維持するためのポールとからなる。テントはキャンピング、山登り、釣りなどのようなレジャー活動中に寝たり、風雨を避けたり、陽光を避けるための装備として広く使用している。
【０００３】
このようなテントは、設置した状態の模様と、折り畳み方式と、骨組構造などによって様々な形態に分類する。最近は、向上した便宜性を有するワンタッチ式の折り畳みテントの使用が増加している。
【０００４】
ワンタッチ式の折り畳みテントは傘式テントとも呼ばれ、韓国実用新案登録第２０-３１５８４３号(スナップスルーを利用した自動テント)、実用新案登録第２０-３１７３３５(底布が脱着可能になっているワンタッチ式テント)に開示されている。
【０００５】
前述した従来のワンタッチ式の折り畳みテントにおいて、主要なポールの折曲構造を見ると、複数のフレームポールを、屋根の中央に位置する一つの連結体に集中して連結し、その内部の下には各々のフレームポールを支持して押し上げるための複数の補助ポールを備えている。
【０００６】
しかし、従来のテントはフレームポールと補助ポールを使用して傘状に支持して押し上げる構造であるため、折曲部分が多く、それによって、折曲点で故障が多くて重量が重い。テントが一定のドーム状を維持し、堅固に支持するためにはポールが弧状で、且つ適当に湾曲しなければならない。しかし、従来のワンタッチ式テントでは、連結体からその下の補助ポールの連結部分まで必ず一定の高さを保障しなければならない。したがって、ポールを弧状に十分に湾曲するための空間が不足してポールを所望の弧状に十分に湾曲できない短所がある。
【０００７】
したがって、テント布が常に緊張した状態を維持できない。
【０００８】
テント布が緩い状態である時は、多くの風の抵抗を受けるので、結果として揺らぎやすい。
【０００９】
従来のワンタッチ式テントは、ワンタッチを実現させる連結体を備えているが、その連結体の操作が難しかったり面倒であるため、実用上多くの問題がある。
【００１０】
なお、従来のワンタッチ式テントは殆ど中央の連結体を操作してポールを展開、または折曲することが可能である。したがって、中央部分を容易に操作するためにはテントの規模を大型にするのが不可能である。即ち、テントを大型にした場合、テントの縁で上部中央の中央連結体を操作することは、あまりにも高く遠いため、所望の操作がほとんど不可能である。
【００１１】
一方、従来のワンタッチ式の折り畳みテントにおいてポールは、その関節部分において次のような短所を有する。
【００１２】
従来のポールの折曲構造は、韓国実用新案登録出願第１９８８-００１４２３８号(ワンタッチ式ドーム状テントにおける下部関節の折曲防止装置)、韓国実用新案登録出願第１９９１-０００４６０１号(ワンタッチ式ドーム状テントの下部関節の折曲防止装置)に開示されている。
【００１３】
従来の折曲装置において、前者の場合は、上側関節部と下側関節部がヒンジピンによって連結され、長孔で形成されたヒンジ孔の内にはヒンジピンを押し込むためのバネが内蔵されている。ここで、バネはサイズが小さいためポールを押し込む力が充分でない。したがって、その機能が満足できないだけでなく、製作も容易でない。
【００１４】
また、後者の場合は、上側関節部と下側関節部がヒンジピンによって連結され、長孔状のヒンジ孔には係止突起が形成される。ポールと下側関節部との間にはバネが設けられと共に、このバネを支持するための支えリングが設けられる。
【００１５】
しかし、前述した構造において、下側関節部を長孔に沿って長手方向に移動しながら、係止突起の範囲を抜け出すように制御しなければならない。したがって、操作が容易でなく、バネを支持するための構成品が複雑であるため、生産性が低下し製造コストが上昇する。
【００１６】
その他、折曲式ポールが有する固有の問題点の一つとして、関節部の展開時にテント布が挟まる場合が発生することがある。そのため、テント布が損傷し、寿命が短縮することがある。
【００１７】
また、折曲式ポールをたたんだ状態で縦に立てておく場合、テント布の環がポールの長さに沿って落ちてきて下方に集まる場合がある。このような現象が発生すると、テント(ポール)を改めて広げようとする際、ポールを展開することが難しくなる。
【発明の開示】
【発明が解決しようとする課題】
【００１８】
したがって、本発明の目的は従来技術の問題点を解決できるワンタッチ式の折り畳みテントを提供することにある。
【００１９】
本発明の他の目的は、複数のフレームポールを屋根の中央に設けた中央連結体に連結し、そのフレームポールの上段を中央連結体に連結した状態で押圧板の作動操作によって全てのポールが同時に展開、または折曲できるワンタッチ式の折り畳みテントを提供することにある。
【００２０】
また、本発明の他の目的は、広げられたポールが適当な弧状に湾曲できるようにして、テント布が常に緊張した状態で展開できるワンタッチ式の折り畳みテントを提供することにある。
【００２１】
また、本発明の他の目的は、従来のような傘状の補助ポールを本発明では省略することによって、テントを張った時、ポールが適当な湾曲状態を維持できるワンタッチ式の折り畳みテントを提供することにある。
【００２２】
さらに、本発明の他の目的は、ポールの関節部分の構造を改善してより簡単に組み立て及び作動できるようにし、テントの折り畳み作業を迅速に行うことによって、使用上の便宜性を提供できるワンタッチ式の折り畳みテントを提供することにある。
【００２３】
さらに、本発明の他の目的は、テントの全体的な構造を簡単にすることによって、組み立て及び生産性を向上し、製造コストを低減するワンタッチ式の折り畳みテントを提供することにある。
【課題を解決するための手段】
【００２４】
前述の目的を達成するためのワンタッチ式の折り畳みテントは、中央に複数の引っ張りロープ孔を有し、その下縁部に放射状に複数の係止突起を有する軸部と、前記軸部の上段に水平方向に拡張された上板とからなる押圧支持具と；前記押圧支持具の軸部が挿設されるように穿孔された垂直貫通孔と、これらの貫通孔の周りに垂直に形成された複数の牽引ロープ孔と、その外周の下縁部に突設された複数の牽引ロープ固定片を有する垂直管部と、前記垂直管部の上面に水平方向に延びて放射状に形成された複数の回動案内溝と、この回動案内溝に対応して支持具の側面に形成されたヒンジ軸支持突起を有するポール支持部とからなる連結支持具と；前記引っ張りロープ孔に挿入され、下側の下板を利用して結束した引っ張りロープと備える中央連結体と；上下側関節部によって折曲可能なポール部材と、前記ポール部材の先端に挿着され、牽引ロープ嵌入溝と、前記嵌合溝から所定の間隔をおいて離隔した位置で下面に形成されたヒンジ軸部を有するモールディング部を備え、前記ヒンジ軸部は前記ポール支持部の回動案内溝に対応して形成されたヒンジ軸支持突起にピンで結合される複数のフレームポールと；前記フレームポールの牽引ロープ嵌入溝に嵌入されて前記垂直管部の牽引ロープ孔に挿入され、前記牽引ロープ固定片に繰り返し係合する牽引ロープと；複数の環により前記フレームポールの中間部に設けられるテント布と；を含むことを特徴とする。
【００２５】
また、本発明の他の目的を達成するためのワンタッチ式の折り畳みテントは、中央に引っ張りロープ孔を有し、その下縁部に放射状に複数の係止突起を有する軸部と、前記軸部の上段に水平方向に拡張された上板とからなる押圧支持具と；前記押圧支持具の軸部が挿設されるように穿孔された垂直貫通孔を有する垂直管部と、前記垂直管部の上面に水平方向に延びて放射状に形成された複数の回動案内溝と、この回動案内溝に対応して支持具の側面に形成されたヒンジ軸支持突起を有する連結支持具と；前記引っ張りロープ孔に挿入され、下側の下板を利用して結束した引っ張りロープとを備える中央連結体と；上下側関節部によって折曲可能なポール部材と、このポール部材の先端に挿着され、バネ挿入部と中間のヒンジ軸部を有するモールディング部とを備える複数のポールと；その一端が前記各ポールのモールディング部に設けられたバネ挿入部に挿着され、その他端が前記連結支持具の底面に密着され、中間の環部はピンによって前記ヒンジ軸部と一緒に前記ヒンジ軸支持突起に弾設される拡開バネと；複数の環により前記フレームポールの中間部に設けられるテント布と；を含むことを特徴とする。
【００２６】
さらに、本発明の他の目的を達成するためのワンタッチ式の折り畳みテントは、一対ずつ四方に設けられるポールヒンジサポートと、そのポールヒンジサポートの中央で縦方向に形成された係止孔を備える支え板部と、この支え板部から下方に延びた管体部を備える支持体と；前記支え板部の上側に配設し、軸ピンで支持体の中央の結合孔に軸設され、その係止突起が前記支持体の係止孔の内周縁に係止するマウンティング部材と、このマウンティング部材を拡張させるための拡張弾性体とを備える押圧板と；前記押圧板の中央部から垂設された中央ネジ棒に沿って上下に移動し、圧縮バネによって支持体の管体部内に弾設される昇降円板と、この昇降円板の通孔に挿設された延長部により案内されながら上下に移動可能なリリース部材を含む昇降部材とを備える中央連結体と；上下側関節部によって折曲可能なポール部材と、前記ポール部材の先端に挿着され、バネ挿入部と中間のヒンジ軸部を有するモールディング部とを備える複数のポールと；その一端が前記ポールのモールディング部に設けられたバネ挿入部に挿着され、その他端が前記連結支持具の底面に密着され、中間の環部はピンによって前記ヒンジ軸部と一緒に前記ヒンジサポートに弾設される拡開バネと；複数の環により前記フレームポールの中間部に設けられるテント布と；を含むことを特徴とする。
【発明の効果】
【００２７】
以上に説明したように、本発明のワンタッチ式の折り畳みテントは、ポールを連結するための中央連結体を円状の連結支持具と押圧支持具で構成し、フレームポールのヒンジ軸部を連結支持具のヒンジ軸支持突起に取り付けて組み立てた状態で、押圧支持具を押圧する簡単な動作だけで放射状に配設された全てのフレームポールを同時に展開、折曲することができるので、テントの全体をより容易にワンタッチ式で折り畳むことができる。
【００２８】
特に、本発明においては、従来のワンタッチ式テントとは異なり、フレームポールを支えるための別の補助ポールが不要であるので、構造が簡単で、製造が容易であり、しかも製造コストが低い。
【００２９】
本発明において、フレームポールの上段を押し下げてヒンジ軸部の下半部が弓状に広がるように構成したため、テント布が最大に緊張した状態で広げられるので外観が良く、風の影響を受けないので安全な状態を維持できる。
【００３０】
また、関節部でテント布が挟まれないためテント布を損傷させず、ポールを折曲した状態で縦に立ててもテント布がポールの下方に下がらないので円滑な展開を保障できるようになる。
【発明を実施するための最良の形態】
【００３１】
以下、添付図面を参照して本発明の好ましい実施形態について詳細に説明する。本発明は中央連結体の構成によって第１ないし第３実施形態に分けて説明する。図１は本発明に係るワンタッチ式の折り畳みテントを広げた状態を示す斜視図であり、図２は本発明に係るワンタッチ式の折り畳みテントを折り畳んだ状態を示す骨格構成図である。
（第１実施形態）
図３は本発明の第１実施形態に係る中央連結体の分解斜視図であり、図４は本発明の第１実施形態に係る中央連結体の展開の作動状態を示す断面図であり、図５は本発明の第１実施形態に係る中央連結体の展開完了状態を示す断面図である。
【００３２】
まず、ワンタッチ式の折り畳みテントは図１に示すように、テントの全体形状を維持するために放射状に展開する複数のフレームポール２００と、これらのポールを連結してポールが同時に折曲できるようにする中央の連結体１００Ａとから構成する。
【００３３】
この際、連結体１００Ａは図３に示すように、放射状に配設されるポールの先端部をヒンジによって回動可能に連結する連結支持具１２０と、この連結支持具に連結したポールの上段を押し下げて展開させる押圧支持具１１０とを含む。
【００３４】
即ち、押圧支持具１１０は中央に複数の引っ張りロープ孔１１２が形成された上板１１５と、この上板１１５の下面で垂直下方に延び、下縁部には複数の係止突起１１３が放射状に突設された軸部１１１とからなる。
【００３５】
また、連結支持具１２０は、押圧支持具１１０の軸部１１１が挿設される垂直貫通孔１２２を有する垂直管部１２１と、垂直管部の貫通孔の周りに垂直に形成された複数の牽引ロープ孔１２４と、垂直管部１２１の下段に突設された複数の回転位置決め突起１２６と、垂直管部１２１の上面に放射状に形成された複数の回動案内溝１２９と、各回動案内溝に対応して支持具の側面に形成された複数のヒンジ軸支持突起１２５を有するポール支持部１２８とからなる。
【００３６】
そして、引っ張りロープ孔１１２と、この孔に対応して下側の下板１１４に形成された複数の引っ張りロープ孔に引っ張りロープ１４０を挿設して、押圧支持具１１０と連結支持具１２０を結束することによって、互いに分離しないようにする。
【００３７】
一方、フレームポール２００は図２に示すように、複数の関節部２３０、２４０を有するポール部材２２０と、このポール部材の先端が挿着されるモールディング部２１０とからなる。
【００３８】
ここで、モールディング部２１０は、その上端部に形成された牽引ロープ嵌入溝２１１と、この嵌入溝から所定の間隔をおいて離隔した位置でモールディング部の底面に形成されたヒンジ軸部２１２を備える。これらは全て合成樹脂材やアルミニウム材で作ることができる。
【００３９】
次に、添付図面を参照して本発明に係る中央連結体１００Ａとフレームポール２００の組み立て構造について説明する。
【００４０】
図４及び図５に示すように、フレームポール２００は連結支持具１２０のポール支持部１２８に形成された回動案内溝１２９に各々一つずつ放射状に嵌入される。ポールモールディング部２１０に形成されたヒンジ軸部２１２とヒンジ軸支持突起１２５は、挿入ピンＰによって回動可能に連結する。
【００４１】
したがって、フレームポール２００の組み立てにおいて、ポール牽引ロープ１３０の中間部をモールディング部に形成された牽引ロープ嵌入溝２１１に嵌入し、垂直管部１２１の牽引ロープ孔１２４に挿入して下方に延びた後、垂直管部１２１の下縁部に突設された牽引ロープ固定片１２７に係合する。
【００４２】
ここで、平常時フレームポール２００の先端を下へ引いてポールが傾斜した構造に配設させるため、牽引ロープ１３０は弾性がある丈夫な良質のゴム紐で作ることが好ましい。
【００４３】
次に、連結支持具１２０の垂直管部１２１の中央に形成された垂直貫通孔１２２に押圧支持具１１０の軸部１１１を挿入して組み立てる。
【００４４】
この際、軸部１１１の下縁部には四方に突設した係止突起１１３が形成されている。係止突起１１３は垂直貫通孔１２２の垂直凹溝１２３に沿って案内され、その溝に嵌合する。
【００４５】
完全に嵌合した状態で、垂直に穿孔した引っ張りロープ孔１１２に引っ張りロープ１４０を挿設した後、軸部１１１の下部に配設される下板１１４に形成された引っ張りロープ孔に挿入した状態で結束させる。
【００４６】
ここで、引っ張りロープ１４０もやはり、平常時に押圧支持具１１０と連結支持具１２０の分離を阻止するように引っ張り力を与え、牽引ロープによって１次引っ張られたポールをさらに押し下げて、よく広げられるようにするため、弾性がある丈夫な良質のゴム紐で作ることが好ましい。
【００４７】
前述のような方式で中央連結体１００Ａとフレームポール２００との組み立てを完了すると、フレームポール２００の所々にテント布３００の環３１０を掛けてテントを完成する。
【００４８】
まず、図７に示すように、上側関節部２４０は関節支持部２４１と関節回折部２４２からなり、この上側関節部２４０はヒンジピンＰによって折曲可能に連結する。ここで、関節部は常に広げられるように関節バネ２４３で押圧する。
【００４９】
したがって、ポールの折曲時は使用者の力で関節部を折曲することができ、テントの使用時は関節バネ２４３の力によって自動で広げられる。
【００５０】
そして、図８に示すように、下側関節部２３０はポール支持部２３１とポール回折部２３２とからなる。
【００５１】
すなわち、下側関節部２３０は外周面の一側に長手方向の長孔２３２ｂとヒンジ突起２３２ａを備え、一つのポール部材２２０の端部が挿着されるポール回折部２３２と、このポール回折部２３２の一部を取り囲むことができるように半円筒部２３１ａを有し、他の一つのポール部材２２０の上段に挿着されるポール支持部２３１と、半円筒部２３２ａを横に貫通しながら長孔２３２ｂに嵌入されるヒンジピンＰと、一端２３３ａがポール支持部２３１内に挿設され、他端２３３ｂは半円筒部２３１ａ内でポール回折部２３２を押すように構成した板バネ２３３を備える。
【００５２】
下側関節部２３０を折曲するためには、図８の上方に示した状態で、下方に示すように板バネ２３３によってポール回折部２３２を長手方向に引っ張ってヒンジピンＰを長孔２３２ｂの前部に位置させる。次に、下方に仮想線で示すように、ポール部材を矢印に沿って回動させる。
【００５３】
逆に、ポール２００を広げる時は、ポール回折部２３２がその自重により下方に移動し、この際ヒンジピンＰは長孔２３２ｂの後部に位置して回転を阻止する。
【００５４】
また、本発明のポール２００の下段には、図９及び図１０に示すように、四角の係止突起２３４ａを有する挿入部材２３４が設けられる。テント布３００の角底部は支持バンド２３６を利用して支持部材２３５に連結する。
【００５５】
支持部材２３５は外側部にパック２３７を差し込むためのパック孔２３５ａと、挿入部材２３４を挿入するための四角の係止孔２３５ｂと、支持バンド２３６を連設するためのバンド孔２３５Ｃを有する。
【００５６】
この際、四角の係止孔２３５ｂの下側には少し内向に湾曲した係合片２３５dが形成されて、ポールが抜けることを防止し、孔が四角であるため所望の方向にポールを維持することが可能である。
【００５７】
一方、図１１ないし図１３に示すように、本発明のポール２００は上側及び下側関節部２４０、２３０に関節保護帯２５０をさらに含むように作ることができる。
【００５８】
例えば、下側関節部２３０で見ると、関節部は一側のポールの先端部に設けられたポール支持部２３１と、他側のポールの先端部に設けられたポール回折部２３２と、これらを連結するヒンジピンＰとから構成する。また、ポールの上側関節部２３０の周りを取り囲むように所定の幅を有する保護帯２５０が設けられる。保護帯２５０の両側上部には連結孔２５１が形成されている。この連結孔２５１にヒンジピンＰを嵌入した後、リベットで保護帯を上側関節部に連結する。
【００５９】
この際、保護帯２５０は柔軟性を有する樹脂材や織物材、またはそれらの合成材などで作る。
【００６０】
図１１に示すように、保護帯２５０の一端を延びた端部には、ベルクロファスナー(登録商標)(またはロープ)を有するバンド部２５２が設けられる。このバンド部２５２をポール部材２２０に外嵌すると、保護帯をポールに安定的に固定できる。
【００６１】
図１２は保護帯２５０の使用状態を示す。
【００６２】
保護帯２５０の一側の表面には、結束紐２５３の中間部が挿設されており、保護帯２５０が位置する部分のテント布３００には、支持紐３２０が設けられている。したがって、保護帯２５０の使用時には、図１３に示すように、これらの紐を互いに結束することが好ましい。
【００６３】
このように結束紐２５３と支持紐３２０を結束すると、ポールの関節部２３０が折曲した状態で立設しても、これらの結束紐２５３と支持紐３２０がテント布を支持しているので、テント布３００が下方に傾くことを防止する。その上、テント布３００が下方に傾かないので、以降にテントを使用する時は邪魔にならない。
【００６４】
次に、添付図面を参照して本発明の第１実施形態に係るテントの作動過程を説明する。
【００６５】
まず、テントが広げられた状態を説明する。中央連結体１００Ａに連結された複数のフレームポール２００が押圧支持具１１０の押圧動作で広げられると、全て弓状に曲がって図１に示すように、内側に吊り下げられたテント布３００が緊張した状態で広げられる。反対に、押圧支持具１１０の解除作動でフレームポール２００の各関節部が同時に折曲すると、テントは折り畳まれるようになる。
【００６６】
この際、図４及び図５を参照して重要な連結体１００Ａの作動について説明する。
【００６７】
モールディング部２１０のヒンジ軸部２１２がピンＰによってポール支持部１２８のヒンジ軸支持突起１２５に結合されているので、平常時にフレームポール２００は牽引ロープ嵌入溝２１１側が上方に少し押し上げられた状態を維持している。この状態で牽引ロープ１３０は牽引ロープ嵌入溝２１１に維持されており、押圧支持具１１０はポール２００により垂直方向に押圧される。
【００６８】
それによって、押圧された押圧支持具１１０の軸部１１１において、その下縁部の係止突起１１３が連結支持具１２０の垂直貫通孔１２２から下方に露出する。この状態で、押圧支持具１１０を時計方向に回転させる。
【００６９】
このように押圧支持具１１０の軸部１１１が回転すると、その下縁部の係止突起１１３が垂直管部１２１の下面で回転位置決め突起１２６に係止して回転が阻止される。この際、上板１１５はフレームポール２００の上段を押し下げており、上段が押圧されたフレームポール２００はヒンジ軸部２１２を支点に最大に押し上げられるので、弓状に曲がった状態で展開すると共に、テント布３００が広げられる。
【００７０】
テントを折り畳もうとする時は、押圧支持具１１０の上板１１５を押し下げて反時計方向に回転させる。
押圧支持具１１０の軸部１１１が反時計方向に回転すると、その下縁部に突設された係止突起１１３が垂直貫通孔１２２の垂直凹溝１２３に嵌合する。したがって、フレームポール２００の先端部を押し上げる力により押圧支持具１１０の全体は容易に上昇するようになって、フレームポール２００の緊張力が解除できる。次に、それぞれの関節部２３０、２４０を折曲すると、容易にテント布３００を折り畳むことができる。
【００７１】
つまり、第１実施形態に係るワンタッチ式の折り畳みテントは、ポール連結のための中央連結体を連結支持具と押圧支持具で構成し、フレームポールのヒンジ軸部を連結支持具のヒンジ軸支持突起に嵌入して組み立てた状態で、押圧支持具を押し回す簡単な動作だけで放射状に配設された全てのフレームポールを同時に展開、折曲することができるように構成した。したがって、テントの全体をより容易にワンタッチ式で折り畳むことができる。
（第２実施形態）
図１４は本発明の第２実施形態に係る連結体の分解斜視図であり、図１５は本発明の第２実施形態に係る連結体のポールの展開状態を示す断面図であり、図１６は本発明の第２実施形態に係る連結体のポールを折曲する過程を示す断面図である。
【００７２】
図１４に示すように、本発明の第２実施形態に係る中央連結体１００Ｂは、放射状に配設されるポールの先端部がヒンジによって回動可能に連結される連結支持具１２０と、この連結支持具１２０に連結されたポールの上段を押し下げる押圧支持具１１０とを含む。
【００７３】
即ち、押圧支持具１１０は中央に複数の引っ張りロープ孔１１２が形成された上板１１５と、この上板１１５の下面から垂直下方に延び、下縁部には複数の係止突起１１３が放射状に突設された軸部１１１とからなる。
【００７４】
また、連結支持具１２０は押圧支持具１１０の軸部１１１が挿設された垂直貫通孔１２２を有する垂直管部１２１と、垂直管部１２１の下段に突設された複数の回転位置決め突起１２６と、垂直管部１２１の上面に放射状に形成された複数の回動案内溝１２９と、各回動案内溝に対応して支持具の側面に形成された複数のヒンジ軸支持突起１２５とからなる。
【００７５】
そして、引っ張りロープ孔１１２と、この孔に対応して下側の下板１１４に形成された複数の引っ張りロープ孔に引っ張りロープ１４０を挿設して、押圧支持具１１０と連結支持具１２０を結束することによって、互いに分離しないようにする。
【００７６】
ここで、フレームポール２００と、このフレームポールに設けられる上側関節部及び下側関節部は、第１実施形態で説明した構成と同様である。
【００７７】
ただし、拡開バネ２１４を連結するためのフレームポールの上段部は、図１７に示すように相異なる構成になっている。
【００７８】
即ち、前述したフレームポール２００は、ポール部材２２０の一端に設けられたモールディング部２１０によりポール連結支持具に回動可能に連結する。
【００７９】
ポール部材の先端に設けられるモールディング部２１０は、その下面にバネ挿入部２１３及びヒンジ軸部２１２を有する。拡開バネ２１４の一端はモールディング部２１０のバネ挿入部２１３に挿入され、中間にはピンＰが挿設される環部２１４ａが形成されている。したがって、環部２１４ａに挿設されるピンＰによってヒンジ軸部２１２と一緒に拡開バネ２１４をヒンジ軸支持突起１２５に弾設すると、拡開バネ２１４はポール２００を上方に押圧する。
【００８０】
次に、本発明の第２実施形態に係る中央連結体１００Ｂとフレームポール２００との組み立て構造を説明する。
【００８１】
まず、フレームポール２００を連結支持具１２０上面に形成された回動案内溝１２９に各々一つずつ放射状に嵌入する。この際、ポールモールディング部２１０に設けられたヒンジ軸部２１２に拡開バネ２１４の環部２１４ａを一緒に取り付け、この部分をヒンジ軸支持突起１２５に取り付けた状態でピンＰを挿入すると、ポールはバネによって連結支持具に回動可能に組み立てられる。
【００８２】
その後、連結支持具１２０の垂直管部１２１の中央部に形成された垂直貫通孔１２２に押圧支持具１１０の軸部１１１を挿入して組み立てる。
【００８３】
この際、軸部１１１にはその下縁部に四方に突設した係止突起１１３が形成されているので、係止突起１１３は垂直貫通孔１２２の垂直凹溝１２３に沿って案内されながら、係合するようになる。軸部が完全に係合した後、垂直に穿孔した引っ張りロープ孔１１２、及び軸部１１１の下側に配設される下板１１４の引っ張りロープ孔に引っ張りロープ１４０を挿設して押圧支持具と連結支持具を結束する。
【００８４】
引っ張りロープ１４０もやはり、平常時に押圧支持具１１０と連結支持具１２０との分離を阻止するように引っ張り力を与えると共に、牽引ロープによって１次引っ張られたポールをさらに押し下げて、よく広げるようにするために、弾性がある丈夫な良質のゴム紐で作ることが好ましい。
【００８５】
前述のような方式で中央連結体１００Ｂとフレームポール２００との組み立てが完了すると、フレームポール２００の所々にテント布３００の環３１０を係合してテントを完成する。
【００８６】
図１８に示すように、本発明の第２実施形態に係る引っ張りロープ１４０は、引っ張りコイルバネ１４０ａに代替できる。この場合は上板１１５の押圧引っ張りロープ孔１１２の代りに、押圧支持具の内部に貫通孔を形成し、この貫通孔にはコイルバネ１４０ａを弾設する。この際、コイルバネの上段は上板に配設される係合ワッシャ１１４ｂに連結し、下段は下板１１４に形成された係合環１１４ａに連結する。
【００８７】
このように構成した本発明の第２実施形態に係るテントは、第１実施形態と同様の方法で展開、折曲することができる。
【００８８】
また、本発明の第１実施形態に係るテントと同様に、 押圧支持具１１０の押圧動作により中央連結体１００Ｂに連結した複数のフレームポール２００が広げられると、全て弓状に曲がって内側に吊り下げられたテント布３００が緊張した状態で広げられる。逆に、押圧支持具１１０の解除作動により複数のフレームポールが折れ曲がると、フレームポール２００の各関節部が同時に折曲してテントが折り畳まれる。
【００８９】
次に、図１６を参照して本発明の重要な中央連結体１００Ｂの作動について説明する。
【００９０】
図１６は本発明の第２実施形態に係る連結体のポールを折曲する過程を示す断面図である。
【００９１】
ピンＰによって拡開バネ２１４と一緒にモールディング部２１０のヒンジ軸部２１２がヒンジ軸支持突起１２５に結合された状態を維持しているので、平常時にフレームポール２００は拡開バネの力によって押圧支持具１１０を垂直方向に押圧する。
【００９２】
押圧される押圧支持具１１０の軸部１１１は、その下側の係止突起１１３が連結支持具１２０の垂直貫通孔１２２から下方に露出され、露出された状態で押圧支持具１１０を時計方向に回転させる。
【００９３】
このように押圧支持具１１０の軸部１１１が回転すると、その下縁部に突設された係止突起１１３が垂直管部１２１の下面で回転位置決め突起１２６に係止して回転が阻止される。この際、上板１１５は、前述したフレームポール２００の上段を最大に押圧するようになる。上段が押圧されたフレームポール２００は拡開バネ２１４の力により、ヒンジ軸部２１２を支点に最大に押し上げられるので、弓状に曲がった状態で展開すると共に、テント布３００が広げられる。
【００９４】
この際、テントを折り畳もうとすると、前述した押圧支持具１１０の上板１１５を押し下げて反時計方向に回転させる。
【００９５】
押圧支持具１１０の軸部１１１が反時計方向に回転すると、その下縁部に突設された係止突起１１３が垂直貫通孔１２２の垂直凹溝１２３に整合する。この状態で、引っ張りロープ１４０が緩くなると、フレームポール２００の先端を押し上げようとする力が生成する。
【００９６】
そのため、この力により押圧支持具１１０の全体が容易に上昇するようになる。
【００９７】
したがって、フレームポール２００の緊張力が解除されるので、各関節部２３０、２４０が折れ曲がると、テント布３００を容易に折り畳むことが可能になる。
【００９８】
本発明の第２実施形態に係るワンタッチ式の折り畳みテントは、ポールの連結のための中央連結体を連結支持具と押圧支持具で構成し、フレームポールのヒンジ軸部を連結支持具のヒンジ軸支持突起に取り付けて組み立てた状態で、押圧支持具を押し回す簡単な動作だけで放射状に配設された全てのフレームポールを同時に展開、折曲することができるようにした。したがって、テントの全体をワンタッチ式でより容易に折り畳むことができる。
（第３実施形態）
次に、本発明の第３実施形態を説明する。
【００９９】
図１９は本発明の第３実施形態に係る連結体の分解斜視図であり、図２０は本発明の第３実施形態に係る連結体のポールの展開状態を示す断面図であり、図２１は本発明の第３実施形態に係る連結体のポールを折曲する過程を示す断面図である。
【０１００】
本発明の第３実施形態は、第１実施形態及び第２実施形態と同様に、テントの全体形状を維持するために放射状に延びる複数のフレームポール２００を備え、ポールは中央の連結体１００Ｃを利用して連結することによって、同時に折曲することができる。
【０１０１】
この際、本発明の第３実施形態の中央連結体１００Ｃは、図２０に示すように、放射状に配設されたポールを、その先端のヒンジ軸部を介して回動可能に支持する連結支持具１６０と、この連結支持具１６０に支持されたポールの上段部を押し下げる押圧用の押圧板１５０と、この押圧板１５０の作動を誘導するための昇降部材１７０とからなる。
【０１０２】
中央連結体１００Ｃの支持具１６０は、ポール２００を連結するために四方の縁周に形成されたポールヒンジサポート１６５と、中央に係止孔１６１ａを有する支え板部１６１と、この支え板部の下方に延びる管体部１６２とからなる。
【０１０３】
また、中央連結体は、支え板部１６１の上部に配設される一端がピン１５３によって押圧板１５０に形成された結合孔１５１に挿入され、中間部には支持具の係止孔１６１ａに係止するように係止突起１５２ａが形成されたマウンティング部材１５２と、このマウンティング部材の下段を押圧して拡張させる拡張弾性体１５４とを含む。
【０１０４】
そして、昇降部材１７０は、押圧板の中央部から垂設した中央ネジ棒１７１に沿って上下に移動し、圧縮バネ１７２によって支持具の管体部１６２内に弾設された昇降円板１７４と、この昇降円板の通孔１７４ａに挿設された延長部１７３ｃにより案内されながら上下に移動できるリリース部材１７３とを含む。
【０１０５】
また、リリース部材１７３は、上半部１７３ａと下半部１７３ｂが互いに結合して一つの部品になる。即ち、リリース部材１７３は延長部１７３ｃが昇降円板１７４の通孔１７４ａに挿設される方式で組み立てられる。リリース部材１７３は圧縮バネ１７２により弾設された昇降円板１７４の昇降に関係なく、マウンティング部材１５２の係止突起１５２ａを押すように構成されている。
【０１０６】
ここで、中央ネジ棒１７１は、その中間部にマウンティング部材１５２の上昇高さを制限するためのストッパーナット１７１ａを備える。昇降部材１７０はその底面にテント布の中央を容易に連結するための補助連結線材１７５を備える。
【０１０７】
この補助連結線材１７５は、昇降部材１７０が支持具１６０の管体部１６２の中で水平を維持した状態で容易に引っ張られて下降するように構成されている。
【０１０８】
一方、フレームポール２００と、このポールが有する上側関節部２３０及び下側関節部２４０の構成は、本発明の第１実施形態で説明したものと同様である。
【０１０９】
そして、図１７に示すように、拡開バネ２１４の上段を連結するための構造は本発明の第２実施形態と同様である。
【０１１０】
即ち、フレームポール２００は、ポール部材２２０の上段に設けられたモールディング部２１０によって、連結支持具に回転可能に連結する。
【０１１１】
ポール部材の先端に設けられるモールディング部２１０は、その下面にバネ挿入部２１３とヒンジ軸部２１２を有する。拡開バネ２１４の一端は、モールディング部のバネ挿入部２１３に挿入され、中間にはピンＰが挿設される環部２１４ａが形成されている。したがって、環部２１４ａに挿設されるピンＰによってヒンジ軸部２１２と一緒にヒンジ軸支持突起１２５に拡開バネ２１４を弾設すると、拡開バネ２１４はポール２００を上方に押圧する。
【０１１２】
次に、添付図面を参照して本発明に係る中央連結体１００Ｃとフレームポール２００の作動状態を説明する。
【０１１３】
図２０は、本発明に係る中央連結体１００Ｃがフレームポール２００の上段を押し下げてポールが展開されながら、テントが広げられた状態を示す。
【０１１４】
この際、テントを折り畳もうとすると、テントの内部で(あるいは外側で)前述した昇降部材１７０のリリース部材１７３を上方に打撃すればよい。
【０１１５】
このように操作すると、リリース部材１７３が固設された昇降部材１７０は、圧縮バネ１７２の力に抗して上方に押し上げられるようになり、その上段１７０ａはマウンティング部材１５２の係止突起１５２ａを押すようになる。
【０１１６】
したがって、マウンティング部材１５２の係止突起１５２ａの下段が仮想線で示すように内方に回動しながら、ポール２００は自重によってヒンジサポート１６５を支点として回動するようになる。それによって、ポール２００は図２１に示すように、中央ネジ棒１７１と並んで垂直に立設しながら、テント布を折り畳むことができるようになる。
【０１１７】
逆に、テントを広げようとすると、テントの内部で(あるいは外側で)前述した昇降部材１７０の補助連結線材１７５を引っ張る。
【０１１８】
補助連結線材１７５を引っ張ると、昇降部材１７０のリリース部材１７３が下降しながら、中央ネジ棒１７１に連結された押圧板１５０が下降する。
【０１１９】
押圧板１５０に設けられたマウンティング部材１５２において、その中間部に形成された係止突起１５２ａが拡張弾性体１５４により拡張されて、外方に押圧力を発生することができる。それによって、係止突起１５２ａが支持体１６０の係止孔１６１ａの内周縁に係止して、その係止状態を維持する。
【０１２０】
したがって、図２０に示すように、それぞれのポール２００はヒンジサポート１６５を中心に回動して水平に押し上げられた状態になり、ポール２００に吊り下げられたテント布を広く広げることができる。
【０１２１】
本発明の第３実施形態に係る押圧板１５０と昇降部材１７０は、図２２ないし図２４に示すように、その一部を改良した構造で実施することができる。
【０１２２】
図２２の押圧板１５０は、その底面の中央から下方に延びる支持棒部１５５を備える。この支持棒部を支持体１６０の中央に挿入した時、左右に揺れることを阻止できるようになる。
【０１２３】
支持棒部１５５の周りにはマウンティング部材１５２用の縦溝１５５ａが縦方向に形成されて、マウンティング部材１５２の不要な運動を阻止する。
【０１２４】
図２２の昇降部材１７０においては、組み立てが難しいリリース部材１７３の下側円筒部を省略する代わりに、昇降円板１７４の上側中央部分に作動が正確な新規の拡張弾性体１５４を設ける。リリース部材１７３の下段は、テント布３００の天井中央に設けられた押圧部材１７７によって押圧されるように構成する。
【０１２５】
図２２ないし図２４において、符号１５６は外観用蓋であり、１７６は拡張弾性体１５４を固定しながら補助連結線材１７５を結びつけるためのワッシャである。
【０１２６】
本発明の第３実施形態で示したワンタッチ式の折り畳みテントは、このテントの内部または外部、中央上段部を操作して折り畳むようになっているので、テントを大型に製作した場合、あるいは操作する人の背が低い場合も操作が簡単である。即ち、テントが大型である場合、あるいは使用者の背が低い場合もテントの内部中央で引き下ろしたり、天井を押し上げる簡単な操作だけで中央連結体からポールが展開したり、折曲したりすることが可能である。
【図面の簡単な説明】
【０１２７】
【図１】本発明に係るワンタッチ式の折り畳みテントを広げた状態を示す斜視図である。
【図２】本発明に係るワンタッチ式の折り畳みテントを折り畳む過程を示す斜視図である。
【図３】本発明の第１実施形態に係る連結体の分解斜視図である。
【図４】本発明の第１実施形態に係る連結体の展開状態を示す断面図である。
【図５】本発明の第１実施形態に係る連結体の展開が完了した状態を示す断面図である。
【図６】本発明の第１実施形態に係る連結体の一部平面断面図である。
【図７】本発明に係る上側関節部の断面図である。
【図８】本発明に係る下側関節部の断面図である。
【図９】本発明のポールの下部を示す側面断面図である。
【図１０】本発明のポールの下部を示す正面断面図である。
【図１１】本発明に係る関節部の保護帯の構成を示す斜視図である。
【図１２】本発明に係る関節部の保護帯の作動状態を示す断面図である。
【図１３】本発明に係る関節部の保護帯を利用したテント布の結束構造を示す図面。
【図１４】本発明の第２実施形態に係る連結体の分解斜視図である。
【図１５】本発明の第２実施形態に係る連結体のポールを展開した状態を示す断面図である。
【図１６】本発明の第２実施形態に係る連結体のポールを折り畳む過程を示す断面図である。
【図１７】本発明の第２実施形態に係るポールの拡開バネの組み立て状態を示す分解斜視図である。
【図１８】本発明の第２実施形態に係る他の構成の連結体を示す断面図である。
【図１９】本発明の第３実施形態に係る連結体の分解斜視図である。
【図２０】本発明の第３実施形態に係る連結体のポールを展開した状態を示す断面図である。
【図２１】本発明の第３実施形態に係る連結体のポールを折り畳む過程を示す断面図である。
【図２２】本発明の第３実施形態に係る他の構成の連結体を示す分解斜視図である。
【図２３】本発明の第３実施形態に係る他の構成の連結体においてポールを展開した状態を示す断面図である。
【図２４】本発明の第３実施形態に係る他の構成の連結体においてポールを折り畳む過程を示す断面図である。
【図１】
2007506884.tif 000003
【図２】
2007506884.tif 000004
【図３】
2007506884.tif 000005
【図４】
2007506884.tif 000006
【図５】
2007506884.tif 000007
【図６】
2007506884.tif 000008
【図７】
2007506884.tif 000009
【図８】
2007506884.tif 000010
【図９】
2007506884.tif 000011
【図１０】
2007506884.tif 000012
【図１１】
2007506884.tif 000013
【図１２】
2007506884.tif 000014
【図１３】
2007506884.tif 000015
【図１４】
2007506884.tif 000016
【図１５】
2007506884.tif 000017
【図１６】
2007506884.tif 000018
【図１７】
2007506884.tif 000019
【図１８】
2007506884.tif 000020
【図１９】
2007506884.tif 000021
【図２０】
2007506884.tif 000022
【図２１】
2007506884.tif 000023
【図２２】
2007506884.tif 000024
【図２３】
2007506884.tif 000025
【図２４】
2007506884.tif 000026
【国際調査報告】
2007506884.tif 000027
2007506884.tif 000028